(57)【特許請求の範囲】
【請求項１】
ガイドレールの背面に対向する第１壁面と、前記ガイドレールの背面に対して垂直な方向に延びる第２壁面とを有する昇降路に対して固定され、壁側取付板部を有する壁側ブラケットと、
前記壁側取付板部に重ねて設けられるレール側取付板部を有し、ガイドレールが固定されるレール側ブラケットと、を備え、
前記壁側取付板部および前記レール側取付板部のそれぞれには、前記壁側取付板部および前記レール側取付板部を互いに固定する締結具が水平面に沿って挿入される貫通孔が形成されており、
前記壁側取付板部および前記レール側取付板部のそれぞれは、水平面に対して垂直な方向に延びて配置されており、
上方から視た場合に前記壁側取付板部と前記レール側取付板部との間の接触面が前記ガイドレールの背面に対して直角を除く角度で傾斜するように配置されているエレベータのガイドレール固定装置。
【請求項２】
前記貫通孔は、長手方向が水平面に沿う方向に形成された長穴となっている請求項１に記載のエレベータのガイドレール固定装置。
【発明の詳細な説明】
【技術分野】
【０００１】
この発明は、昇降路に対してガイドレールを固定するエレベータのガイドレール固定装置に関する。
【背景技術】
【０００２】
従来、水平面に沿った壁側取付板部を有し、昇降路に対して固定される壁側ブラケットと、水平面に沿ったレール側取付板部を有し、ガイドレールが固定されるレール側ブラケットとを備えたエレベータのガイドレール固定装置が知られている。このエレベータのガイドレール固定装置では、壁側取付板部およびレール側取付板部が互いに重ねられた状態で、壁側取付板部およびレール側取付板部が、鉛直方向に延びるように配置されたボルトを用いて固定される（例えば、特許文献１参照）。
【先行技術文献】
【特許文献】
【０００３】
【特許文献１】特許第４６０２３２９号公報
【発明の概要】
【発明が解決しようとする課題】
【０００４】
しかしながら、従来のエレベータのガイドレール固定装置は、壁側ブラケットとレール側ブラケットとを互いに固定するためのボルトが鉛直方向に延びるように配置される。したがって、ボルトを動かすための道具を水平面に沿って移動させる必要がある。これにより、壁側ブラケットとレール側ブラケットとを互いに固定するための水平方向についての締結作業スペースが大きくなる。また、従来のエレベータのガイドレール固定装置は、ボルトがガイドレールの背面とこの背面に対向する昇降路の壁面との間に配置される。したがって、ガイドレールの背面と昇降路の壁面との間の寸法が小さい場合に、十分な締結作業スペースを確保することができないという課題があった。【０００５】
この発明は、上述のような課題を解決するためになされたものであり、その目的は、壁側ブラケットとレール側ブラケットとを互いに固定するための締結作業スペースをより確実に確保することができるエレベータのガイドレール固定装置を提供するものである。
【課題を解決するための手段】
【０００６】
この発明に係るエレベータのガイドレール固定装置は、ガイドレールの背面に対向する第１壁面と、ガイドレールの背面に対して垂直な方向に延びる第２壁面とを有する昇降路に対して固定され、壁側取付板部を有する壁側ブラケットと、壁側取付板部に重ねて設けられるレール側取付板部を有し、ガイドレールが固定されるレール側ブラケットとを備え、壁側取付板部およびレール側取付板部のそれぞれには、壁側取付板部およびレール側取付板部を互いに固定する締結具が水平面に沿って挿入される貫通孔が形成されており、壁側取付板部およびレール側取付板部のそれぞれは、水平面に対して垂直な方向に延びて配置されており、壁側取付板部およびレール側取付板部のそれぞれは、上方から視た場合に前記壁側取付板部と前記レール側取付板部との間の接触面がガイドレールの背面に対して直角を除く角度で傾斜するように配置されている。
【発明の効果】
【０００７】
この発明に係るエレベータのガイドレール固定装置によれば、壁側ブラケットの壁側取付板部およびレール側ブラケットのレール側取付板部のそれぞれには、締結具が水平面に沿って挿入される貫通孔が形成されており、壁側取付板部およびレール側取付板部のそれぞれは、水平面に対して垂直な方向に延びて配置されており、上方から視た場合に壁側取付板部とレール側取付板部との間の接触面がガイドレールの背面に対して直角を除く角度で傾斜するように配置されている。これにより、ガイドレールの背面および昇降路の壁面の間の寸法が小さい場合であっても、壁側ブラケットとレール側ブラケットとを互いに固定するための水平方向についての締結作業スペースを確保することができる。その結果、壁側ブラケットとレール側ブラケットとを互いに固定するための締結作業スペースをより確実に確保することができる。また、レール側取付板部を壁側取付板部との接触面に対してスライドさせることにより、ガイドレールと第１壁面との間の寸法およびガイドレールと第２壁面との間の寸法の両方を同時に調整できる。
【図面の簡単な説明】
【０００８】
【図１】この発明の実施の形態１に係るエレベータのガイドレール固定装置を示す正面図である。
【図２】図１のエレベータのガイドレール固定装置を示す平面図である。
【図３】図１の壁側ブラケットを示す正面図である。
【図４】図２のＩＶ−ＩＶ線に沿った矢視断面図である。
【図５】従来のエレベータのガイドレール固定装置を示す平面図である。
【図６】この発明の実施の形態２に係るエレベータのガイドレール固定装置を示す平面図である。
【発明を実施するための形態】
【０００９】
この発明の実施の形態に係るエレベータ装置を図に基づいて説明する。なお、各図において、同一または相当する部分には、同一の符号を付し、重複部分の説明は、適宜に簡略または省略する。
【００１０】
実施の形態１．
図１は、この発明の実施の形態１に係るエレベータのガイドレール固定装置を示す正面図、図２は、図１のエレベータのガイドレール固定装置を示す平面図である。エレベータのガイドレール固定装置は、昇降路の壁に対して固定される壁側ブラケット１と、ガイドレール２が固定されるレール側ブラケット３とを備えている。ガイドレール２としては、かごを案内するかご用ガイドレールと、つり合いおもりを案内するつり合いおもり用ガイドレールとが挙げられる。
【００１１】
昇降路は、ガイドレール２の背面２１に対向する第１壁面４と、ガイドレール２の背面２１に対して垂直な方向に延びる第２壁面５とを有している。
【００１２】
壁側ブラケット１は、第１壁面４に固定されたアンカーボルト６に固定される第１壁固定板部１１と、第２壁面５に固定されたアンカーボルト７に固定される第２壁固定板部１２とを有している。第１壁固定板部１１は、第１壁面４に対向して配置される。第２壁固定板部１２は、第２壁面５に対向して配置される。
【００１３】
また、壁側ブラケット１は、レール側ブラケット３が固定される壁側取付板部１３と、第１壁固定板部１１、第２壁固定板部１２および壁側取付板部１３に渡って設けられ、水平面に沿って配置される水平板部１４とを有している。
【００１４】
第１壁固定板部１１、第２壁固定板部１２および壁側取付板部１３は、水平面に対して垂直な方向に延びて配置される。
【００１５】
第１壁固定板部１１には、アンカーボルト６が挿入される貫通孔１１１が形成されている。貫通孔１１１は、第１壁固定板部１１の板厚方向について第１壁固定板部１１を貫通して形成されている。貫通孔１１１は、長穴となっている。貫通孔１１１の長手方向は、水平面に対して傾斜する方向となっている。
【００１６】
第２壁固定板部１２には、アンカーボルト７が挿入される図示しない貫通孔が形成されている。第２壁固定板部１２の貫通孔は、第２壁固定板部１２の板厚方向について第２壁固定板部１２を貫通して形成されている。
【００１７】
レール側ブラケット３は、壁側取付板部１３に固定されるレール側取付板部３１と、ガイドレール２が固定されるレール固定板部３２と、レール側取付板部３１およびレール固定板部３２に渡って設けられ、水平面に沿って配置される水平板部３３とを有している。
【００１８】
レール側取付板部３１およびレール固定板部３２のそれぞれは、水平板部３３から上方に延びるように配置される。レール側取付板部３１は、壁側取付板部１３に重ねられる。レール固定板部３２は、ガイドレール２の背面２１に重ねられる。
【００１９】
壁側取付板部１３およびレール側取付板部３１のそれぞれは、上方から視た場合に壁側取付板部１３とレール側取付板部３１との間の接触面Ｓがガイドレール２の背面２１に対して傾斜するように配置される。言い換えれば、壁側取付板部１３およびレール側取付板部３１のそれぞれは、上方から視た場合に壁側取付板部１３とレール側取付板部３１との間の接触面Ｓが第１壁面４および第２壁面５のそれぞれに対して傾斜するように配置される。
【００２０】
壁側取付板部１３とレール側取付板部３１との間の接触面Ｓは、第２壁面５に近づくにつれて第１壁面４から離れるように配置される。これにより、水平面に沿う方向であって接触面Ｓに沿う方向について、レール側取付板部３１を壁側取付板部１３に対してスライドさせることによって、ガイドレール２と第１壁面４との間の寸法およびガイドレール２と第２壁面５との間の寸法の両方が調整される。
【００２１】
また、エレベータのガイドレール固定装置は、壁側取付板部１３およびレール側取付板部３１を互いに固定する２個の締結具８と、レール固定板部３２およびガイドレール２を互いに固定する２個の締結具９とをさらに備えている。
【００２２】
図３は、図１の壁側ブラケット１を示す正面図である。壁側取付板部１３には、締結具８が挿入される貫通孔１３１が二箇所に形成されている。それぞれの貫通孔１３１は、壁側取付板部１３の板厚方向について壁側取付板部１３を貫通して形成されている。それぞれの貫通孔１３１には、締結具８が水平面に沿って挿入される。それぞれの貫通孔１３１は、長穴となっている。それぞれの貫通孔１３１の長手方向は、水平面に沿う方向となっている。
【００２３】
図４は、図２のＩＶ−ＩＶ線に沿った矢視断面図である。レール側取付板部３１には、締結具８が挿入される貫通孔３１１が二箇所に形成されている。それぞれの貫通孔３１１は、レール側取付板部３１の板厚方向についてレール側取付板部３１を貫通して形成されている。それぞれの貫通孔３１１には、締結具８が水平面に沿って挿入される。また、それぞれの貫通孔３１１は、長穴となっている。それぞれの貫通孔３１１の長手方向は、水平面に沿う方向となっている。
【００２４】
図２に示すように、締結具８は、壁側取付板部１３の貫通孔１３１およびレール側取付板部３１の貫通孔３１１のそれぞれに挿入されるボルト８１と、ボルト８１に取り付けられるナット８２とを有している。ボルト８１の頭部およびナット８２が壁側取付板部１３およびレール側取付板部３１を締め付けることによって、レール側ブラケット３が壁側ブラケット１に固定される。ナット８２は、ボルト８１の頭部よりも第１壁面４の近くに配置される。
【００２５】
図１に示すように、レール固定板部３２には、締結具９が挿入される貫通孔３２１が二箇所に形成されている。それぞれの貫通孔３２１は、レール固定板部３２の板厚方向についてレール固定板部３２を貫通して形成されている。それぞれの貫通孔３２１には、締結具９が水平面に沿って挿入される。また、それぞれの貫通孔３２１は、長穴となっている。それぞれの貫通孔３２１の長手方向は、水平面に沿う方向となっている。
【００２６】
図２に示すように、締結具９は、レール固定板部３２の貫通孔３２１に挿入されるボルト９１と、ボルト９１に取り付けられるナット９２と、ボルト９１に取り付けられるレール固定具９３とを有している。レール固定具９３は、ボルト９１の頭部とナット９２との間に配置される。また、レール固定具９３は、レール固定具９３とレール固定板部３２との間にガイドレール２の基部２２が挟まれるように配置される。ボルト９１の頭部およびナット９２がレール固定板部３２、ガイドレール２の基部２２およびレール固定具９３を締め付けることによって、ガイドレール２がレール側ブラケット３に固定される。ナット９２は、ボルト９１の頭部よりも第１壁面４の近くに配置される。
【００２７】
図５は、従来のエレベータのガイドレール固定装置を示す平面図である。従来のエレベータのガイドレール固定装置は、第１壁面４に対して固定される壁側ブラケット１と、ガイドレール２が固定されるレール側ブラケット３とを備えている。壁側ブラケット１は、水平面に沿った壁側取付板部１３を有している。レール側ブラケット３は、水平面に沿ったレール側取付板部３１を有している。
【００２８】
従来のエレベータのガイドレール固定装置は、壁側取付板部１３およびレール側取付板部３１が互いに重ねられた状態で、壁側取付板部１３およびレール側取付板部３１が、鉛直方向に延びるように配置された締結具８を用いて固定される。レール側取付板部３１には、締結具８が挿入される貫通孔３１１が形成されている。貫通孔３１１は、長穴となっている。貫通孔３１１の長手方向は、ガイドレール２の背面２１と第１壁面４とが互いに対向する方向となっている。
【００２９】
従来のエレベータのガイドレール固定装置では、壁側ブラケット１とレール側ブラケット３とを互いに固定するための締結具８が鉛直方向に延びるように配置される。これにより、締結具８を動かすための道具が水平面に沿って移動する。したがって、壁側ブラケット１とレール側ブラケット３とを互いに固定するための水平方向についての締結作業スペースが大きくなる。また、締結具８は、ガイドレール２の背面２１とこの背面２１に対向する昇降路の第１壁面４との間に配置される。これにより、ガイドレール２の背面２１と昇降路の第１壁面４との間の寸法Ｌが小さい場合に、十分な締結作業スペースを確保することができない。
【００３０】
また、従来のエレベータのガイドレール固定装置では、レール側取付板部３１には、締結具８が挿入される貫通孔３１１が、ガイドレール２の背面２１と第１壁面４とが互いに対向する方向に延びて形成されている。したがって、ガイドレール２の背面２１と第１壁面４とが互いに対向する方向についてのレール側取付板部３１の寸法を小さくすることが困難である。これにより、ガイドレール２の背面２１および昇降路の第１壁面４の間の寸法Ｌを小さくすることが困難となる。
【００３１】
これに対して、実施の形態１に係るエレベータのガイドレール固定装置では、締結具８が水平面に沿って延びるように配置される。これにより、水平方向についての締結作業スペースを小さくすることができる。また、レール側取付板部３１に形成された貫通孔３１１は、ガイドレール２の背面２１と第１壁面４とが互いに対向する方向に延びていない。したがって、ガイドレール２の背面２１および昇降路の第１壁面４の間の寸法Ｌを小さくすることができる。
【００３２】
次に、エレベータのガイドレール固定装置を用いてガイドレール２を昇降路に対して固定する手順について説明する。まず、壁側ブラケット１を第１壁面４および第２壁面５に固定する。壁側ブラケット１を第１壁面４および第２壁面５に固定した後、締結具８を用いて、レール側ブラケット３を壁側ブラケット１に連結する。この時、壁側取付板部１３およびレール側取付板部３１は、締結具８によってまだ締め付けられていない。これにより、レール側取付板部３１は、壁側取付板部１３に対して水平方向にスライド可能となっている。
【００３３】
レール側ブラケット３を壁側ブラケット１に連結した後、締結具９を用いて、ガイドレール２をレール側ブラケット３に連結する。この時、基部２２およびレール固定板部３２は、締結具９によってまだ締め付けられていない。これにより、基部２２は、レール固定板部３２に対して水平方向にスライド可能となっている。したがって、基部２２をレール固定板部３２に対してスライドさせて、ガイドレール２と第２壁面５との間の寸法を調整することができる。ガイドレール２をレール側ブラケット３に連結した後、レール側取付板部３１を壁側取付板部１３に対して水平方向にスライドさせて、ガイドレール２と第１壁面４との間の寸法およびガイドレール２と第２壁面５との間の寸法の両方を調整する。
【００３４】
ガイドレール２と第１壁面４との間の寸法およびガイドレール２と第２壁面５との間の寸法を調整した後、締結具８を用いて、レール側ブラケット３を壁側ブラケット１に固定する。また、締結具９を用いて、ガイドレール２をレール側ブラケット３に固定する。以上により、ガイドレール２を昇降路に対して固定する手順が終了する。
【００３５】
以上説明したように、この発明の実施の形態１に係るエレベータのガイドレール固定装置によれば、ガイドレール２の背面に対向する第１壁面４と、ガイドレール２の背面に対して垂直な方向に延びる第２壁面５とを有する昇降路に対して固定され、壁側取付板部１３を有する壁側ブラケット１と、壁側取付板部１３に重ねて設けられるレール側取付板部３１を有し、ガイドレール２が固定されるレール側ブラケット３とを備え、壁側取付板部１３およびレール側取付板部３１のそれぞれには、壁側取付板部１３およびレール側取付板部３１を互いに固定する締結具８が水平面に沿って挿入される貫通孔１３１が形成されており、壁側取付板部１３およびレール側取付板部３１のそれぞれは、水平面に対して垂直な方向に延びて配置されており、壁側取付板部１３およびレール側取付板部３１のそれぞれは、上方から視た場合に壁側取付板部１３とレール側取付板部３１との間の接触面Ｓがガイドレール２の背面に対して直角を除く角度で傾斜するように配置されている。これにより、レール側取付板部３１を壁側取付板部１３との接触面Ｓに対してスライドさせて、ガイドレール２と第１壁面４との間の寸法およびガイドレール２と第２壁面５との間の寸法の両方を同時に調整できる。また、締結具８を動かすための道具は、水平面に対して垂直な方向に移動（回転）するため、壁側ブラケット１とレール側ブラケット３とを互いに固定するための水平方向についての締結作業スペースが小さくなる。したがって、ガイドレール２の背面２１および昇降路の第１壁面４の間の寸法が小さい場合であっても、壁側ブラケット１とレール側ブラケット３とを互いに固定するための水平方向についての締結作業スペースを確保することができる。その結果、壁側ブラケット１とレール側ブラケット３とを互いに固定するための締結作業スペースをより確実に確保することができる。また、壁側ブラケット１とレール側ブラケット３とを互いに固定するための水平方向についての締結作業スペースが小さくなることにより、ガイドレール２の水平方向についての位置の制約をより小さくすることができる。
【００３８】
なお、上記実施の形態１では、壁側取付板部１３とレール側取付板部３１との間の接触面Ｓが、第２壁面５に近づくにつれて第１壁面４から離れるように配置される構成について説明した。しかしながら、壁側取付板部１３とレール側取付板部３１との間の接触面Ｓが、第２壁面５に近づくにつれて第１壁面４に近づくように配置される構成であってもよい。
【００３９】
実施の形態２．
図６は、この発明の実施の形態２に係るエレベータのガイドレール固定装置を示す平面図である。実施の形態１では、第１壁面４に固定されたアンカーボルト６および第２壁面５に固定されたアンカーボルト７のそれぞれに壁側ブラケット１が固定される構成について説明した。実施の形態２では、第２壁面５にはアンカーボルト７が固定されていない。第１壁面４に２個のアンカーボルト６が固定されている。壁側ブラケット１は、第１壁面４に固定された２個のアンカーボルト６に固定されている。したがって、壁側ブラケット１は、第２壁固定板部１２を有していない。
【００４０】
また、実施の形態２では、壁側取付板部１３とレール側取付板部３１との間の接触面Ｓは、第２壁面５に近づくにつれて第１壁面４に近づくように配置される。その他の構成は、実施の形態１と同様である。
【００４１】
以上説明したように、この発明の実施の形態２に係るエレベータのガイドレール固定装置によれば、壁側ブラケット１は、第１壁面４に固定される。これにより、壁側ブラケット１を第２壁面５から離して配置することができる。
【００４２】
また、壁側取付板部１３とレール側取付板部３１との間の接触面Ｓは、第２壁面５に近づくにつれて第１壁面４に近づくように配置される。これにより、レール側ブラケット３を第１壁面４および第２壁面５の両方に対して近くに配置することができる。その結果、ガイドレール２を第１壁面４および第２壁面５の両方に対して近くに配置することができる。
【００４３】
なお、上記実施の形態２では、壁側ブラケット１は、第１壁面４に固定された複数のアンカーボルト６に固定される構成について説明した。しかしながら、壁側ブラケット１は、第２壁面５に固定された複数のアンカーボルト７に固定される構成であってもよい。
【００４４】
また、上記実施の形態２では、壁側取付板部１３とレール側取付板部３１との間の接触面Ｓが、第２壁面５に近づくにつれて第１壁面４に近づくように配置される構成について説明した。しかしながら、壁側取付板部１３とレール側取付板部３１との間の接触面Ｓが、第２壁面５に近づくにつれて第１壁面４から離れるように配置される構成であってもよい。
【符号の説明】
【００４５】
１  壁側ブラケット、２  ガイドレール、３  レール側ブラケット、４  第１壁面、５  第２壁面、６  アンカーボルト、７  アンカーボルト、８  締結具、９  締結具、１１  第１壁固定板部、１２  第２壁固定板部、１３  壁側取付板部、１４  水平板部、２１  背面、２２  基部、３１  レール側取付板部、３２  レール固定板部、３３  水平板部、８１  ボルト、８２  ナット、９１  ボルト、９２  ナット、９３  レール固定具、１１１  貫通孔、１３１  貫通孔、３１１  貫通孔、３２１  貫通孔。
【要約】
壁側ブラケットとレール側ブラケットとを互いに固定するための締結作業スペースをより確実に確保することができるエレベータのガイドレール固定装置を得る。このエレベータのガイドレール固定装置は、壁側取付板部１３を有し、昇降路に対して固定される壁側ブラケット１と、壁側取付板部１３に重ねて設けられるレール側取付板部３１を有し、ガイドレール２が固定されるレール側ブラケット３とを備え、壁側取付板部１３およびレール側取付板部３１のそれぞれには、壁側取付板部１３およびレール側取付板部３１を互いに固定する締結具８が水平面に沿って挿入される貫通孔が形成されている。【図１】
0006526347.tif 000002
【図２】
0006526347.tif 000003
【図３】
0006526347.tif 000004
【図４】
0006526347.tif 000005
【図５】
0006526347.tif 000006
【図６】
0006526347.tif 000007